(57)【特許請求の範囲】
【請求項１】
ケーシングと、
ケーシング内に収納された熱交換器と、
熱交換器の近傍に設けられ、熱交換器により生じた冷気を室内へ送る横流ファンと、
を備え、
熱交換器は、横流ファンの外周に沿うように配置された円弧形部分を有し、
熱交換器の円弧形部分と横流ファンとの間に配置され、かつ、横流ファンの近傍に設けられたノーズと、
ノーズの横流ファン側先端付近に設けられ、ノーズの横流ファン側の渦流を安定させる半球状に形成した突起部と、
熱交換器の円弧形部分とノーズとの間に配置され、熱交換器により生じた冷気がノーズに直接接触しないようにして結露の発生を抑制するノーズの横流ファンに対して逆側に設けられたリブと、
を更に備えたことを特徴とする空気調和機の室内ユニット。
【発明の詳細な説明】
【０００１】
【発明の属する技術分野】
本発明は、空気調和機の室内ユニットに係り、とりわけ、結露の発生を抑制させた空気調和機の室内ユニットに関する。
【０００２】
【従来の技術】
従来、空気調和機の室内ユニットとして、図７に示すようなものが用いられている。図７において、室内熱交換装置５０は、ケーシング５１と、ケーシング５１内に収納された熱交換器５２とを備えている。熱交換器５２の近傍には、熱交換器５２により生じた冷気を室内へ送る横流ファン５３が配置されている。横流ファン５３の近傍には、ノーズ５４が設けられている。
【０００３】
【発明が解決しようとする課題】
しかしながら、図８に示すように、ノーズ５４には熱交換器５２の側から冷風が供給され、横流ファン５３側においては相対的に温度の高い空気が存在するため、ノーズ５４の横流ファン５３側に結露が発生することがある。
【０００４】
結露の発生という問題を防止するために、ノーズ５４の横流ファン５３側に植毛を施したり、断熱材を張り付けたりする方法が考えられているが、これらの方法はコストがかかる。
【０００５】
本発明は、このような点を考慮してなされたものであり、ノーズの横流ファン側における結露の発生を低コストで抑制でき、送風性能を向上できるような空気調和機の室内ユニットを提供することを目的とする。
【０００６】
【課題を解決するための手段】
本発明は、ケーシングと、ケーシング内に収納された熱交換器と、熱交換器の近傍に設けられ、熱交換器により生じた冷気を室内へ送る横流ファンと、を備え、熱交換器は、横流ファンの外周に沿うように配置された円弧形部分を有し、熱交換器の円弧形部分と横流ファンとの間に配置され、かつ、横流ファンの近傍に設けられたノーズと、ノーズの横流ファン側先端付近に設けられ、ノーズの横流ファン側の渦流を安定させる半球状に形成した突起部と、熱交換器の円弧形部分とノーズとの間に配置され、熱交換器により生じた冷気がノーズに直接接触しないようにして結露の発生を抑制するノーズの横流ファンに対して逆側に設けられたリブと、を更に備えたことを特徴とする空気調和機の室内ユニットである。
【０００７】
本発明によれば、熱交換器により生じた冷気がノーズに直接接触しないようにノーズの横流ファンに対して逆側に設けられたリブにより、冷気によるノーズの冷却が緩和され、ノーズの横流ファン側における結露の発生を抑制することができる。
【０００９】
また、本発明によれば、半球状の突起部により、ノーズの横流ファン側の渦流を安定させることができ、送風性能が向上する。
【００１１】
また、本発明によれば、熱交換器により生じた冷気がノーズに直接接触しないようにノーズの横流ファンに対して逆側に設けられたリブにより、冷気によるノーズの冷却が緩和され、ノーズの横流ファン側における結露の発生を抑制することができるとともに、突起部により、ノーズの横流ファン側の渦流を安定させることができ、送風性能が向上する。
【００１２】
【発明の実施の形態】
以下、図面を参照して本発明の実施の形態について説明する。
図１は、本発明による空気調和機の室内ユニットの一実施の形態を示している。図１に示すように、本実施の形態の空気調和機の室内ユニット１０は、ケーシング１と、ケーシング１内に収納された熱交換器２とを備えている。熱交換器２の近傍には、熱交換器２により生じた冷気を室内へ送る横流ファン３が配置されている。横流ファン３の近傍には、ノーズ４が設けられている。また、熱交換器２により生じた冷気がノーズ４に直接接触しないようにノーズ４の横流ファン３に対して逆側には、リブ５が設けられている。
【００１３】
本実施の形態の場合、熱交換器２は、横流ファン３の外周に沿うように配置された円弧形部分２ｒを有しており、ノーズ４は、熱交換器２の円弧形部分２ｒと横流ファン３との間に配置され、ノーズ４の先端付近には半球状（Ｒ１）に形成された突起部６が設けられている（図３参照）。また、リブ５は、熱交換器２の円弧形部分２ｒとノーズ４との間に配置されている。
【００１４】
次に、以上のような構成からなる空気調和機の室内ユニット１０の作用について説明する。
【００１５】
熱交換器２によって発生した冷気は、横流ファン３の駆動により室内に送風される。ノーズ４の先端付近の突起部６により、室内熱交換装置１０は高い送風性能を発揮することができる。この時、熱交換器２により発生した冷気は、図２に示す矢印方向に流れるが、リブ５の存在によりノーズ４に直接接触することが防止され、ノーズ４の冷却が緩和される。結果的に、ノーズ４の横流ファン３側において結露が発生することが抑制される。
【００１６】
以上のように本実施の形態によれば、ノーズ４の横流ファン３側における結露の発生を低コストで抑制できるとともに、送風性能を向上することができる。
【００１７】
ノーズ４に設けられる突起部６は、図２及び図３に示すように、半球状（例えばＲ１）に形成した突起部をノーズの先端付近に設けてもよいし、図４に示すように、同様の突起部を先端から微小距離離し（例えば突起部の中心を端部から２ｍｍ離し）て若干下方に設けてもよいし、図５に示すように、ノーズの先端付近に設けた突起部の下方面をなだらかにノーズ面に接合する形状としてもよい。いずれの場合も送風性能は向上する。
【００１８】
なお、図６に示すように、リブ５を設けないで、その他の構成を前記の実施の形態と同様とした構成の場合にも、送風性能は向上する。ただし、この場合には、横流ファン３の側によどみ点が発生する可能性を考慮する必要がある。
【００１９】
また、突起部６を設けないで、その他の構成を前記の実施の形態と同様とした構成の場合にも、結露の発生は有効に抑制される。ただし、この場合には、突起部６を有する前記の実施の形態と比較して送風性能が劣る場合がある。
【００２０】
【発明の効果】
以上説明したように、本発明によれば、熱交換器により生じた冷気をノーズに直接接触しないようにノーズの横流ファンに対して逆側に設けたリブにより、冷気によるノーズの冷却が緩和され、ノーズの横流ファン側における結露の発生を抑制することができる。
【００２１】
また本発明によれば、突起部により、ノーズの横流ファン側の渦流を安定させることができ、送風性能が向上する。
【図面の簡単な説明】
【図１】本発明による空気調和機の室内ユニットの一実施の形態の構成を示す概略図。
【図２】図１のノーズ近傍を示す拡大図。
【図３】図１の突起部近傍を示す拡大図。
【図４】突起部の他の例を示す図。
【図５】突起部の他の例を示す図。
【図６】リブを設けない実施の形態のノーズ近傍を示す図。
【図７】従来の空気調和機の室内ユニットの構成を示す概略図。
【図８】図７のノーズ近傍を示す拡大図。
【符号の説明】
１  ケーシング
２  熱交換器
２ｒ  円弧形部分
３  横流ファン
４  ノーズ
５  リブ
６  突起部
１０  空気調和機の室内ユニット
５０  空気調和機の室内ユニット
５１  ケーシング
５２  熱交換器
５３  横流ファン
５４  ノーズ
５６  突起部
【図１】
0003850561.tif 000002
【図２】
0003850561.tif 000003
【図３】
0003850561.tif 000004
【図４】
0003850561.tif 000005
【図５】
0003850561.tif 000006
【図６】
0003850561.tif 000007
【図７】
0003850561.tif 000008
【図８】
0003850561.tif 000009